(57)【特許請求の範囲】
【請求項１】
電柱の周側面に着脱可能に垂設される平板状の足場において前記電柱に垂設されない側の端部に装着される間接活線工具保持用アタッチメントであって、
枠体と、
この枠体において平行に配設される一対の側板に渡設される複数の水平材と、
前記枠体の外側面にその中心軸を鉛直方向に配しながら取設される少なくとも１つの筒状の間接活線工具ホルダーと、を有し、
前記複数の水平材は、前記足場の上面側と下面側にそれぞれ少なくとも１つ配設され、かつ、平板状の前記足場を水平方向に挿入して装着可能に垂直方向に隙間を形成し、
前記足場の上面側に配設される水平材の少なくとも１つは、前記足場の上面側に形成される突条に係止されていることを特徴とする間接活線工具保持用アタッチメント。
【請求項２】
前記下面側の水平材は、前記足場を鉛直上方側に押し上げて、前記足場の上面を前記上面側の水平材の下面に接触させる押上げ構造を備えていることを特徴とする請求項１に記載の間接活線工具保持用アタッチメント。
【請求項３】
前記押上げ構造は、前記下面側の水平材を貫通して設けられるネジであることを特徴とする請求項２に記載の間接活線工具保持用アタッチメント。
【請求項４】
前記枠体は、この枠体を高所作業車又は多関節高所作業車のバケットの開口縁に掛着するためのフックを備えていることを特徴とする請求項１乃至請求項３のいずれか１項に記載の間接活線工具保持用アタッチメント。
【請求項５】
前記フックは、前記枠体を貫通して取設される第２のネジを用いて、前記枠体に着脱可能に取設されていることを特徴とする請求項４に記載の間接活線工具保持用アタッチメント。
【請求項６】
前記フックは、その折り返し部が鉛直下方側を向いた状態で前記枠体に取設されていることを特徴とする請求項４又は請求項５に記載の間接活線工具保持用アタッチメント。
【請求項７】
前記枠体は、これを把持するための長孔を具備していることを特徴とする請求項１乃至請求項６のいずれか１項に記載の間接活線工具保持用アタッチメント。
【発明の詳細な説明】
【技術分野】
【０００１】
本発明は、電柱や、高所作業車又は多関節高所作業車のバケットに着脱可能に装着できる間接活線工具保持用アタッチメントに関する。
【背景技術】
【０００２】
従来、電柱における間接活線作業を行う際に、着脱可能な足場として特許文献１に開示されるような柱上作業台が用いられている。
このような特許文献１に開示されるような柱上作業台を用いて作業する場合は、複数の間接活線工具を電柱上に運ぶ必要がある。
そして、電柱における作業時には複数の間接活線工具を作業の目的に応じて取り換えながら作業するのが通常であるため、作業者の手の届くところに、着脱容易に複数の間接活線工具を仮置きできることが望ましいが、特許文献１に開示されるような柱上作業台は複数の間接活線工具を落下させることなく保持しておくための設備を何ら備えていない。
このような事情に対処する目的で、電柱上において間接活線工具等を支持又は保持するための器具や、電柱に取設される足場に設けられる工具置きに関する発明がいくつか開示されている。
【０００３】
特許文献２には「間接活線用工具の仮支持用器具」という名称で、配線関連工事において間接活線用工具を電柱等の柱状体に対し一時的に支持するための器具に関する発明が開示されている。
特許文献２に開示される間接活線用工具の仮支持用器具は本願発明と同一の出願人によるものであり、引用文献２に記載される符号をそのまま用いて説明すると、間接活線用工具の仮支持用器具１について、電柱Ｐの周面からその径方向に延設して通孔９が形成された取付板８を有して、電柱Ｐの周面に巻回されて、柱上作業台と兼用可能である巻回用具２と、間接活線用工具２６の絶縁棒２７を挟持する不動部２１と可動部２２とを有すると共に、取付板８の通孔９に挿入可能な挿入部１９を有して、この挿入部１９を取付板８の通孔９に挿入し固定することで巻回用具２に固定される取付用具１７とより構成されるものである。
上述のような特許文献２に開示される発明によれば、電柱等の柱状体側に間接活線用工具を一時的に支持できるので、高所作業車が使用不可能な環境でも間接活線用工具の作業中における支持が可能となり、作業中の間接活線用工具を人の手で支持する必要がなくなる。この結果、作業員の肉体的な負担が軽減され、これに伴い、配線の把持状態も安定化するため配線関連工事の安全性も確保することができる。
【０００４】
特許文献３には「吊り具」という名称で、配電線高圧活線作業の間接活線工法に用いられるホットスティック（絶縁操作棒）を着脱自在に保持して吊り下げる吊り具に関する発明が開示されている。
特許文献３に開示される発明も本願発明と同一の出願人によるものである。また、特許文献３に開示される発明は、特許文献３中に記載される符号をそのまま用いて説明すると、吊り具１は、工具部９１、操作部９２、及び柄部９３を備えるホットスティック９を着脱自在に保持して吊り下げるものであり、このような吊り具１は、吊り下げ可能な掛止体１ａを先端部に有する主軸部材１１と、主軸部材１１に直交する横軸部材１２と、を備え、さらに、横軸部材１２の両翼に結合するＵ字状の第１アーム１３とＬ字状の第２アーム１４を備えるものである。このような吊り具１は、第１アーム１３が操作部９２に向かい、第２アーム１４が工具部９１に向かうように、ホットスティック９の重心から離れた操作部９２の近傍の柄部９３を第１アーム１３及び第２アーム１４で保持して、ホットスティック９を吊り下げて使用するものである。
上述のような特許文献３に開示される発明によれば、互いに相反する向きに開口するＵ字状の第１アームとＬ字状の第２アームを備え、ホットスティックの柄部を容易に着脱可能であり、ホットスティックが吊り具に吊り下げられた状態において、ホットスティックが容易に脱落しない吊り具を提供できる。
【０００５】
特許文献４には「電柱設置装置」という名称で、電柱の任意の箇所に工具袋などの吊り下げを可能にするものに関する発明が開示されている。
特許文献４に開示される発明も本願発明と同一の出願人によるものである。特許文献４に開示される発明は、特許文献４中に記載される符号をそのまま用いて説明すると、電柱Ｄの周囲に巻掛可能な長さを有するチェーン１１と、そのチェーン同士を電柱外周の一箇所で連結して所望の高さに保持させる保持装置１２と、電柱の外周面に対して外方に延在する姿勢にチェーンに支持される棒状部材１３と、を備えており、棒状部材には作業者の荷重に耐え得る強度の足場部３５がチェーン側に配設されているとともに、該足場部の外方には物品の荷重に耐え得る強度の引掛部３６が配設されて、該引掛部の先端部３６ａ側には、延在方向に対して交差する方向に周回する周回部が形成されることを特徴とするものである。
上述のような特許文献４に開示される発明によれば、所望の高さの電柱の周囲に巻掛部材を巻き掛けて外方に延在する棒状部材を取り付けることができ、その棒状部材に工具袋の紐などを引っ掛けて吊り下げることができる。この棒状部材の先端を周回させることにより、工具袋の紐などをその周回部内に進入させて脱落することを防止させるようにすることができ、また、この棒状部材の工具袋の紐などを引っ掛ける引掛部の内側に足場部を設けることにより、足場としても兼用することができ、さらに工具袋の紐などを引っ掛ける部分（連結部）の長さを調整可能にすることにより必要以上に長くなって作業の邪魔になってしまうことを回避することができる。したがって、作業位置近傍の所望の高さに工具袋を準備して快適に作業することができ、無理な姿勢になることなく、材料や工具などを取り出して効率よく作業を行うことができる。
【０００６】
特許文献５には「物品吊下げ具」という名称で、電柱に固定されて高所工事作業に用いられる工具又は資材を保持する物品吊下げ具に関する発明が開示されている。
特許文献５に開示される発明も本願発明と同一の出願人によるものである。特許文献５に開示される発明は、特許文献５中に記載される符号をそのまま用いて説明すると、外枠２０の内側に格子状体３０が形成されると共に、工具又は資材を収容する収容手段（収容袋５０）が格子状体３０内に脱着自在に取り付けられたことを特徴とするものである。
上述のような特許文献５に開示される考案によれば、作業員の手元近くの場所に工事に用いる多数の工具や資材を保持することができるので、工事の作業効率を向上させることができる。
【先行技術文献】
【特許文献】
【０００７】
【特許文献１】特開２０１１−２３９５８８号公報
【特許文献２】特開２００９−１７１６９３号公報
【特許文献３】特開２００８−１８２８４６号公報
【特許文献４】特開２００７−１５９２６９号公報
【特許文献５】特開２００７−７５９６２号公報
【発明の概要】
【発明が解決しようとする課題】
【０００８】
上述の特許文献２に開示される発明の場合、ホットスティック等の間接活線工具を電柱に仮支持することができるものの、１つの仮支持用具で保持できる間接活線工具は１つのみである。
通常、電柱における間接活線作業時には、４〜５本の間接活線工具を準備する。そして、特許文献２に開示される発明を用いる場合は、持ち運ぶ間接活線工具と同じ数の仮支持用具を準備する必要があり、また、それらのそれぞれをその都度電柱に着脱する必要があり極めて煩雑であった。
【０００９】
特許文献３に開示される発明を用いる場合も、電柱に間接活線工具を仮置きできると考えられるものの、特許文献２に開示される発明の場合と同様に、持ち運ぶ間接活線工具と同じ数の吊り具を準備する必要があった。ただし、特許文献２に開示される発明の場合と比較すると、吊り具の電柱への着脱作業は容易であると考えられる。
また、特許文献３に開示される発明を用いる場合は、間接活線工具の柄を垂直に立てた状態で保持することができないので、複数本の間接活線工具を仮置きする際のスペースをコンパクトにできないという課題もあった。
【００１０】
特許文献４に開示される発明を用いる場合は、電柱上に複数のホットスティックを持ち上がる際に用いる作業袋を保持しておくことができる。よって、特許文献２，３に開示される発明の場合と異なり、電柱上に複数の間接活線工具を同時に仮置きしておくことができる。
その一方で、特許文献１に開示される柱上作業台を用いて電柱上にて間接活線作業を行う場合は、電柱に対して特許文献１に開示されるような柱上作業台の取付け作業を行った上に、特許文献４に開示される電柱設置装置の取付け作業を行う必要がある。つまり、電柱に対する設備の取付け作業を２度行う必要があり煩雑であった。
さらに、特許文献４に開示される発明は、電柱上において作業用の足場としても使用可能であるとの記載がある（特許文献４の明細書段落００１９）が、特許文献４に開示される発明を間接活線作業時の足場として使用しつつ、作業袋を保持する場合、作業袋は足場よりも鉛直下方側に配置されことになるため、間接活線工具の出し入れのために作業員は足場の上で体をかがめる必要があり、作業時の安全性を確保しづらいという課題があった。
【００１１】
特許文献５に開示される発明の場合は、足場の機能と工具置き場の機能を同時に兼ね備えたものであると考えられる。しかしながら、特許文献５に開示される発明の場合は、ドライバー等の比較的小型の工具を保持しておくのに適すると考えられるが、ホットスティック等の長尺状の間接活線工具を複数仮置きすることはできなかった。
【００１２】
本発明はかかる従来の事情に対処してなされたものでありその目的は、電柱の周側面上に着脱可能に取設される足場に着脱可能に取設され、作業者が足場に立った状態で間接活線工具の取り出しと仮置きとを行うことができる間接活線工具保持用アタッチメントを提供することにある。
【課題を解決するための手段】
【００１３】
上記目的を達成するため請求項１記載の発明である間接活線工具保持用アタッチメントは、電柱の周側面に着脱可能に垂設される平板状の足場において電柱に垂設されない側の端部に装着される間接活線工具保持用アタッチメントであって、枠体と、この枠体において平行に配設される一対の側板に渡設される複数の水平材と、枠体の外側面にその中心軸を鉛直方向に配しながら取設される少なくとも１つの筒状の間接活線工具ホルダーと、を有し、複数の水平材は、足場の上面側と下面側にそれぞれ少なくとも１つ配設され、かつ、平板状の足場を水平方向に挿入して装着可能に垂直方向に隙間を形成し、足場の上面側に配設される水平材の少なくとも１つは、足場の上面側に形成される突条に係止されていることを特徴とするものである。
上記構成の請求項１記載の発明において、枠体は間接活線工具ホルダーを支持するとともに、足場に間接活線工具ホルダーを間接的に取設するという作用を有する。水平材は、足場に枠体を着脱可能に固定させるという作用を有する。間接活線工具ホルダーは、足場の周縁部近傍において、間接活線工具の柄を鉛直方向に配しながら保持するという作用を有する。つまり、間接活線工具ホルダーに間接活線工具を仮置きすることで、作業員は足場に立ったまま間接活線工具を一時収納したり、取り出すことを可能にするという作用を有する。また、間接活線工具ホルダーの中空部が鉛直上下方向に伸長していることで、間接活線工具ホルダーにより長尺状の間接活線工具を垂直に立てた状態で保持することを可能にするという作用を有する。この場合、複数の長尺状の間接活線工具を仮置きする際の仮置きスペースは鉛直方向に伸長した状態になるので、平面視した場合の仮置きスペースを極めてコンパクトにするという作用を有する。
さらに、足場に請求項１記載の発明を装着した際に、足場の上面側に配設される水平材を、足場の上面側に形成される突条に係止させておくことで、足場から請求項１記載の発明が滑り落ちるのを妨げるという作用を有する。
【００１４】
請求項２記載の発明は、請求項１に記載の間接活線工具保持用アタッチメントであって、下面側の水平材は、足場を鉛直上方側に押し上げて、足場の上面を上面側の水平材の下面に接触させる押上げ構造を備えていることを特徴とするものである。
上記構成の請求項２に記載の発明は、請求項１記載の発明と同じ作用に加えて、足場の下面側に配設される水平材に設けられる押上げ構造は、平板状の足場を鉛直上方側に押し上げて、足場の上面側に配設される水平材の下面に、足場の上面を押し付けて、足場の上面側に配設される突条とその近傍に配設される水平材との係止構造を強固にするという作用を有する。
これにより、使用時に足場から請求項２記載の発明が外れるリスクを一層低減するという作用を有する。
【００１５】
請求項３記載の発明は、請求項２に記載の間接活線工具保持用アタッチメントであって、押上げ構造は、下面側の水平材を貫通して設けられるネジであることを特徴とするものである。
上記構成の請求項３記載の発明は、請求項２記載の発明と同じ作用に加えて、押上げ構造としてネジを用いることで、請求項３記載の発明の使用時に、押上げ構造に緩みが生じるのを妨げるという作用を有する。
この結果、足場に請求項３記載の発明をより強固に装着させるという作用を有する。
【００１６】
請求項４記載の発明は、請求項１乃至請求項３のいずれか１項に記載の間接活線工具保持用アタッチメントであって、枠体は、この枠体を高所作業車又は多関節高所作業車のバケットの開口縁に掛着するためのフックを備えていることを特徴とするものである。
上記構成の請求項４記載の発明は、請求項１乃至請求項３のそれぞれに記載の発明と同じ作用に加えて、枠体がフックを備えていることで、請求項４記載の発明を高所作業車又は多関節高所作業車のバケットの開口縁に掛着することを可能にするという作用を有する。
この結果、請求項４記載の発明を用いることで、高所作業車又は多関節高所作業車のバケットの開口縁に間接活線工具を仮置きすることを可能になる。
【００１７】
請求項５記載の発明は、請求項４に記載の間接活線工具保持用アタッチメントであって、フックは、枠体を貫通して取設される第２のネジを用いて、枠体に着脱可能に取設されていることを特徴とするものである。
上記構成の請求項５記載の発明は、請求項４記載の発明と同じ作用に加えて、枠体にフックを、枠体を貫通して取設される第２のネジを用いて着脱可能に取設することで、請求項５記載の発明の使用時に、間接活線工具の重みで枠体からフックが外れるリスクを低減するという作用を有する。
【００１８】
請求項６記載の発明は、請求項４又は請求項５に記載の間接活線工具保持用アタッチメントであって、フックは、その折り返し部が鉛直下方側を向いた状態で枠体に取設されていることを特徴とするものである。
上記構成の請求項６記載の発明は、請求項４又は請求項５に記載の発明と同じ作用に加えて、フックを、その折り返し部を鉛直下方側に向けて枠体に取設しておくことで、足場への枠体の装着時には、例えば、作業袋や作業用具等を係止しておくためのフックとして用いることができる。
請求項６記載の発明を高所作業車又は多関節高所作業車の開口縁に掛着する場合は、請求項６記載の発明が上下反転された状態となるが、本願発明に係る間接活線工具ホルダーは筒状であるため、その上下を反転させても支障なく間接活線工具を保持できる。
【００１９】
請求項７記載の発明は、請求項１乃至請求項６のいずれか１項に記載の間接活線工具保持用アタッチメントであって、枠体は、これを把持するための長孔を具備していることを特徴とするものである。
上記構成の請求項７記載の発明は、請求項１乃至請求項６のそれぞれに記載の発明と同じ作用に加えて、枠体に長孔を形成しておくことで、この長孔に手を差し入れて枠体を把持することを可能にする。この結果、足場や高所作業車又は多関節高所作業車のバケットの開口縁に、請求項７記載の発明を着脱させる際のハンドリングを容易にするという作用を有する。
【発明の効果】
【００２０】
本発明の請求項１記載の発明によれば、電柱に着脱可能に装着される足場の外縁近傍に、作業員が足場に立ったまま間接活線工具を仮置きしたり又は取り出すことのできる間接活線工具保持用具を提供することができる。
また、請求項１記載の発明は、足場に取設して使用できるので、間接活線工具を保持するための器具を別途電柱に取付ける必要がない。
この結果、電柱における間接活線作業時の作業性を向上できる。また、枠体に間接活線工具ホルダーを複数備える場合は、複数の間接活線工具を足場に仮置きすることが可能になり、作業内容に応じた工具の交換が容易になる。この点からも電柱における間接活線作業時の作業性を向上できる。
また、水平材を足場の上面側と下面側に配設し、足場の上面側に形成される突条にこの水平材を係止させることで、複雑な固定構造等を用いることなく請求項１記載の発明を足場に固定することができる。
この結果、請求項１記載の発明の構造をシンプルにできるので、請求項１記載の発明を廉価に提供できるというメリットもある。
さらに、請求項１記載の発明では、棒状の柄を有する間接活線工具を垂直に立てた状態で仮置きできるので、請求項１記載の発明を足場に装着し、さらに、この請求項１記載の発明に間接活線工具を仮置きした場合の、足場とそれに付随する器具の平面形状をコンパクトにできる。よって、請求項１記載の発明によれば、狭小スペースで作業する場合であっても、多数の間接活線工具をコンパクトに仮置きしておくことができる。
【００２１】
請求項２記載の発明によれば、請求項１記載の発明と同じ効果に加えて、押上げ構造を備えることで、足場の上面に形成される突条と、足場の上面側に形成される水平材との係止構造をより強固にできる。
この結果、請求項２記載の発明が足場から外れるのを一層確実に防止することができる。これにより、請求項２記載の発明の落下事故等を一層確実に防止できるので、作業時の安全性を大幅に向上できる。
なお、請求項２記載の発明に使用可能な押上げ構造としては、バネ等の弾性材や、ネジ等がある。
【００２２】
請求項３記載の発明によれば、ネジにより請求項３記載の発明を足場にしっかりと固定することができる。この結果、請求項３記載の発明の使用時に、足場の上面側に配設される水平材の浮き上がりを確実に防止することができる。
よって、請求項３記載の発明によれば、請求項２に記載の発明に比べて、一層強固にかつ確実に足場に固定することができる。
この結果、足場を用いた間接活線作業時の安全性を一層向上させることができる。
【００２３】
請求項４記載の発明は、請求項１乃至請求項３のそれぞれに記載の発明と同じ効果に加えて、請求項４記載の発明を高所作業車又は多関節高所作業車における間接活栓工具の保持用具としても使用することができる。
よって、請求項４記載の発明によれば汎用性の高い間接活線工具保持用アタッチメントを提供することができる。
【００２４】
請求項５記載の発明は、請求項４記載の発明と同じ効果に加えて、フックが枠体を貫通して設けられる第２のネジにより固定されることで、枠体にフックを強固に固定することができる。
この場合、多数の間接活線工具を請求項５記載の発明に仮置きした場合でも、枠体からフックが外れるリスクを低減することができる。
この結果、請求項５記載の発明を使用する場合の安全性を大幅に向上できる。
【００２５】
請求項６記載の発明は、請求項４又は請求項３記載の発明と同じ効果に加えて、請求項６記載の発明を足場に装着した際に、高所作業車又は多関節高所作業車のバケットの開口縁に枠体を掛着するためのフックを、工具袋や作業用具を係止するためのフックとしても利用することができる。
よって、請求項６記載の発明によれば、より汎用性の高い間接活線工具保持用アタッチメントを提供することができる。
【００２６】
請求項７記載の発明は、請求項１乃至請求項６のそれぞれに記載の発明と同じ効果に加えて、長孔を備えることで枠体の持ち運びが容易になる。この結果、足場への請求項７記載の発明の着脱作業が容易になる。よって、より取り扱いが容易な間接活線工具保持用アタッチメントを提供することができる。
【図面の簡単な説明】
【００２７】
【図１】本発明の実施の形態に係る間接活線工具保持用アタッチメントの概念図である。
【図２】本発明の実施の形態に係る間接活線工具保持用アタッチメントのＡ−Ａ線矢視断面図である。
【図３】本発明の実施の形態に係る間接活線工具保持用アタッチメントを足場に装着した状態を示す断面図である。
【図４】本発明の実施の形態に係る間接活線工具保持用アタッチメントの使用状態を示す側面図である。
【図５】本発明の実施の形態に係る間接活線工具保持用アタッチメントにフックを取り付けた状態を示す断面図である。
【図６】本発明の実施の形態に係る間接活線工具保持用アタッチメントを高所作業車又は多関節高所作業車のバケットに装着した状態を示す概念図である。
【図７】本実施の形態の変形例に係る間接活線工具保持用アタッチメントの概念図である。
【発明を実施するための形態】
【００２８】
本発明の実施の形態に係る間接活線工具保持用アタッチメントについて図１乃至図７を参照しながら詳細に説明する。
【００２９】
本実施の形態に係る間接活線工具保持用アタッチメントの概要について図１，２を参照しながら説明する。
図１は本発明の実施の形態に係る間接活線工具保持用アタッチメントの概念図であり、図２はそのＡ−Ａ線矢視断面図である。
本発明に係る間接活線工具保持用アタッチメント１Ａは、例えば、特許文献１に開示されるような、電柱の周側面に着脱可能に垂設される平板状の足場（作業用足台）においてこの電柱に垂設されない側の端部に着脱可能に装着されて、１つ以上の間接活線工具を仮置きするためのものである。
このような間接活線工具保持用アタッチメント１Ａは、図１，２に示すように、一対の側板２ａ，２ｂと、これらの端部をつなぐように配設される端板２ｃとからなるコ字状（略コ字状の概念も含む）の枠体２と、この枠体２において側板２ａ，側板２ｂをつなぐように渡設される水平材３（例えば、３ａ〜３ｃ）と、枠体２の外側面にその中心軸を鉛直方向に配しながら取設される少なくとも１つの筒状の間接活線工具ホルダー４とにより構成されるものである。
また、枠体２に設けられる水平材３のそれぞれは、同じレベルに渡設されているのではなく、特許文献１に開示されるような平板状の足場（以下に示す図３の足場１１を参照）を水平方向に挿入して装着できるよう、鉛直方向（垂直方向）に隙間Ｂを形成するように少なくとも２本の水平材３が側板２ａ，２ｂの間に渡設されている。
なお、図１，２には水平材３として水平材３ａ〜３ｃを設ける場合を例に挙げて説明しているが、水平材３の数や配設位置は図示される数や位置に特定される必要はなく、隙間Ｂを形成できるのであれば水平材３の数は２本以上の任意の数に設定することができる。また、特に水平材３を３本設ける場合は、足場に枠体２を装着した際の安定性を向上できるというメリットがある。さらに、水平材３を４本以上設けた場合は、枠体２の強度を高めるとともに足場への装着時の安定性を一層高めることができるというメリットがある。
また、図１，２では細長平板状の水平材３を用いる場合を例に挙げて説明しているが、水平材３は幅広平板状のものを使用してもよい。あるいは、後段においてより詳細に説明するが、電柱に取設される足場の上面に突設される突条と干渉しないよう水平材３を配設すればよい。
【００３０】
なお、図１では円筒状の間接活線工具ホルダー４を用いる場合を例に挙げて説明しているが、間接活線工具ホルダー４の形状は必ずしも円筒状である必要はなく、例えば、角筒やその他任意の断面形状を有する筒体でもよい。
さらに、この間接活線工具ホルダー４を構成する筒体の中空部の軸方向に対する垂直断面径は、間接活線工具ホルダー４において保持しようとする間接活線工具を構成する棒状の柄の径よりも大きく、かつ、この柄に取設される膨大部や鍔の軸方向に対する垂直断面径よりも小さく設定されている必要がある。
上述のように間接活線工具ホルダー４の中空部の径を設定しておくことで、間接活線工具ホルダー４の開口端において間接活線工具を係止しておくことができる。すなわち、間接活線工具ホルダー４に間接活線工具を垂直に立てた状態で保持しておくことができる。
また、間接活線工具ホルダー４は、枠体２に一体に固設しておいてもよいし、着脱可能に取設してもよい。特に、後者の場合は、狭小部に立設される電柱に足場を設けて作業を行う際に、足場の取付けに障害となる位置の間接活線工具ホルダー４を取り外しておくことができるというメリットがある。
【００３１】
次に、図３を参照しながら本発明に係る間接活線工具保持用アタッチメント１Ａの足場への装着状態及びその手順について詳細に説明する。
図３は本発明の実施の形態に係る間接活線工具保持用アタッチメントを足場に装着した状態を示す断面図である。なお、図１，２に記載されたものと同一部分については同一符号を付し、その構成についての説明は省略する。
図３に示すように、本発明に係る間接活線工具保持用アタッチメント１Ａは、平板状の足場１１の端部に装着して使用するものである。
特許文献１に開示される足場１１は、その上面１１ｃに作業時の滑り止めとして、足場１１の伸長方向に直交する向きに突設される突条１１ａ，１１ｂを備えている。
そして、本発明に係る間接活線工具保持用アタッチメント１Ａでは、足場１１の上面１１ｃ上に形成される突条１１ａ，１１ｂに水平材３ａ，３ｃをそれぞれ係止させることで、足場１１からの枠体２の外れを防止している。
なお、図３では足場１１の上面１１ｃに形成される突条１１ａ，１１ｂの全てに水平材３を係止する場合を例に挙げて説明しているが、足場１１に形成される突条のうちの少なくとも１つに水平材３が係止されていれば、枠体２の外れを防止することができる。
そして、本発明に係る間接活線工具保持用アタッチメント１Ａの枠体２を、水平材３と、足場１１の上面１１ｃ側に配設される突条（例えば、突条１１ａ，１１ｂ）との係止構造を利用して着脱可能に固定する場合は、突条（例えば、突条１１ａ，１１ｂ）の電柱に近い側（図３における紙面左側）に水平材３を配設しておく必要がある。つまり、枠体２の引き抜き動作（図３における紙面右側に枠体２を引き抜く動作、図２中に符号Ｃで示す方向の逆方向）に抗うように水平材３を配設しておく必要がある。
【００３２】
さらに、足場１１からの枠体２の外れを一層確実に防止するために、上述のような水平材３と足場１１の上面１１ｃ側に形成される突条との係止構造に加えて、枠体２を足場１１に固定するための固定構造を設けてもよい。
より具体的にはこのような固定構造は、図３に示すように、足場１１をその下面側から鉛直上方に押し上げて、足場１１の上面１１ｃ側に配設される水平材３（例えば、水平材３ａ，３ｃ）の下面に、足場１１の上面１１ｃを押し当てて、足場１１に形成される突条（例えば、突条１１ａ，１１ｂ）と水平材３（例えば、水平材３ａ，３ｃ）との係止構造を一層強固にするために設けられるものであり、足場１１の押上げ構造である。
このような足場１１の押上げ構造の具体的な様態としては、例えば、図３に示すような第１のネジ５がある。この場合、第１のネジ５の上端を足場１１の下面１１ｄに直接押し当ててもよいが、第１のネジ５の上端に当接板５ａを設けておき、第１のネジ５による押圧力がこの当接板５ａを介して足場１１に伝達されるよう構成してもよい。この場合、より安定した状態で第１のネジ５により足場１１を押し上げて固定することができる。
また、第１のネジ５が当接板５ａを備える場合は、第１のネジ５の上端が接触することによる足場１１の損傷を防止できる。
【００３３】
なお、図３では、足場１１の押上げ構造として第１のネジ５を用いる場合を例に挙げて説明しているが、第１のネジ５以外にもバネ等の弾性材を用いても同様の効果を発揮させることができる。
この場合は、足場１１の下面１１ｄ側に配設される水平材３（例えば、水平材３ｂ）の上面に弾性材を設けておくことで（図示せず）、足場１１に枠体２を装着した際に、水平材３ｂの上面に設けられる弾性材により足場１１を鉛直上方側に押し上げることができる。
この場合、足場１１の押上げ構造として第１のネジ５を用いる場合に比べて、第１のネジ５の締め付け作業又はその解除を行う必要がないので便利である。
【００３４】
ここで、図１乃至図３を参照しながら、足場１１への本発明に係る間接活線工具保持用アタッチメント１Ａの装着手順について説明する。
本発明に係る間接活線工具保持用アタッチメント１Ａは、電柱に足場１１を取設した後に装着してもよいし、間接活線工具保持用アタッチメント１Ａが装着された足場１１を電柱に取設してもよい。
足場１１の電柱に取設されない側の端部（開放端）に本発明に係る間接活線工具保持用アタッチメント１Ａを装着するには、枠体２の側板２ａ，２ｂに渡設される水平材３（例えば、水平材３ａ〜３ｃ）により形成される隙間Ｂに（図２を参照）、水平材３ａから水平材３ｃに向かう方向に（図２中の符号Ｃで示す方向に）足場１１の開放端を挿入して、図３に示すように、足場１１の上面１１ｃ側に形成される突条（例えば、突条１１ａ，１１ｂ）の少なくとも１つと、水平材３とにより係止構造を形成させればよい。
この後、本発明に係る間接活線工具保持用アタッチメント１Ａが枠体２の固定構造として、例えば、第１のネジ５を備える場合は、第１のネジ５の操作用つまみ５ｂを回動操作して、水平材３（例えば、水平材３ｂ）の上面側に第１のネジ５の上端を押し出して、第１のネジ５の上端で（第１のネジ５の上端に当接板５ａを備える場合は、当接板５ａにより）足場１１を鉛直上方に押し上げて、足場１１の上面１１ｃを、足場１１の上面１１ｃ側に配設される水平材３（例えば、水平材３ａ，３ｃ）の下面に密着させればよい。
なお、本発明に係る間接活線工具保持用アタッチメント１Ａにおいては、第１のネジ５（足場１１の押上げ構造）を備えない場合でも、隙間Ｂの鉛直方向における幅は、足場１１上に形成される突条（例えば、突条１１ａ，１１ｂ）の高さを含まない足場１１の厚みよりも大きく設定しておく必要がある。そうでない場合は、隙間Ｂに突条を有する足場１１を挿設することができない。
【００３５】
続いて、図４を参照しながら本発明に係る間接活線工具保持用アタッチメント１Ａの使用方法について説明する。
図４は本発明の実施の形態に係る間接活線工具保持用アタッチメントの使用状態を示す側面図である。なお、図１乃至図３に記載されたものと同一部分については同一符号を付し、その構成についての説明は省略する。
上述のように本発明に係る間接活線工具保持用アタッチメント１Ａを足場１１の電柱に取設されない側の端部（開放端）に係止してから、枠体２の外側面に取設される間接活線工具ホルダー４の中空部に間接活線工具である、例えば、ホットスティック１２や絶縁操作棒１３の柄を挿入すればよい。
この場合、ホットスティック１２や絶縁操作棒１３の、膨大部１２ａや鍔１３ａがフック６の開放部に係止されて、間接活線工具がフック６に立設された状態となる。この結果、間接活線工具である、例えば、ホットスティック１２や絶縁操作棒１３は、足場１１の開放端の近傍において垂直に立った状態で保持されるので、作業者は、足場１１に立ったままの状態で間接活線工具ホルダー４から間接活線工具を引き抜いて取り出したり、あるいは、仮置きすることができる。
【００３６】
よって、本発明に係る間接活線工具保持用アタッチメント１Ａによれば、足場１１の開放端側に長尺状の間接活線工具を垂直に立てた状態で仮置きすることができる。この場合、間接活線工具は鉛直方向に伸長した状態で保持されるので、多数の間接活線工具を仮置きした場合でも、平面方向における間接活線工具の占有面積はわずかであるため、足場１１の設置場所が狭小部であっても多数の間接活線工具をコンパクトに一時置きすることができる。
また、本発明に係る間接活線工具保持用アタッチメント１Ａを用いる場合は、足場１１の上面１１ｃ上に間接活線工具を突出させた状態で仮置きしておくことができるので、足場１１にいる作業者にとって間接活線工具の取り出しや仮置きが極めて容易である。これにより、電柱上において足場１１及び間接活線工具を用いて作業する際の作業性を大幅に向上できる。
さらに、本発明に係る間接活線工具保持用アタッチメント１Ａによれば、間接活線工具ホルダー４を複数個備えることで、１つの間接活線工具保持用アタッチメント１Ａを用いて複数の間接活線工具を個別に分離させた状態で着脱容易に保持しておくことができるというメリットがある。
この場合、工具袋に間接活線工具を収容したままの状態で保持する場合に比べて、目的とする間接活線工具の取り出しが特に容易になる。よって、この点からも電柱における間接活線作業時の作業性を向上できる。
【００３７】
なお、図１乃至図４では枠体２の外側面上に６つの間接活線工具ホルダー４を設ける場合を例に挙げて説明しているが、間接活線工具ホルダー４の数は図示される数に特定される必要はなく、これよりも多くても少なくともよい。
また、枠体２を構成する側板２ａ，２ｂの水平方向の長さを長くすることで、より多くの間接活線工具ホルダー４を枠体２に取設することが可能になる。
また、図１乃至図４では枠体２を構成する側板２ａ，２ｂのみに間接活線工具ホルダー４を設けているが、端板２ｃの外側面上に間接活線工具ホルダー４を設けてもよい。
【００３８】
ここで本発明に係る間接活線工具保持用アタッチメント１Ａの他の使用例について図５，６を参照しながら説明する。
本発明に係る間接活線工具保持用アタッチメント１Ａの枠体２に、フックを取り付けることで、本発明に係る間接活線工具保持用アタッチメント１Ａを高所作業車又は多関節高所作業車のバケットの間接活線工具ホルダーとしても使用することができる。
図５は本発明の実施の形態に係る間接活線工具保持用アタッチメントにフックを取り付けた状態を示す断面図である。また、図６は本発明の実施の形態に係る間接活線工具保持用アタッチメントを高所作業車又は多関節高所作業車のバケットに装着した状態を示す概念図である。なお、図１乃至図４に記載されたものと同一部分については同一符号を付し、その構成についての説明は省略する。
本発明に係る間接活線工具保持用アタッチメント１Ａにフック６を設ける場合は、図５に示すように、枠体２に取設するとよい。この場合、フック６は枠体２に一体に固設してもよいし、枠体２に着脱可能に固設してもよい。
後者の場合は、例えば、フック６を構成する部材で枠体２を挟持し、このフック６を構成する部材と枠体２とを、これらを貫通して取設される第２のネジ７及び固定材８により固定してもよい。
なお、枠体２におけるフック６の取付け位置を特定する必要は特にないが、枠体２の端板２ｃにフック６取設することで、足場１１の伸長方向における左右両サイドに間接活線工具ホルダー４を取設することができる。この場合、足場１１上で作業する作業者からより近い位置に間接活線工具（例えば、ホットスティック１２や絶縁操作棒１３等）を仮置きしておくことができるので、その作業性を向上できるというメリットがある。
また、上述のように第２のネジ７及び固定材８を用いてフック６を枠体２に取設する場合は、第２のネジ７を挿通させるためのネジ挿通孔１０を予め枠体２に設けておく必要がある。このネジ挿通孔１０を備えることで、フック６の取付け位置が特定されるので、枠体２の適切な位置にフック６を取り付けることができる。
この場合、バケット１４に取付けた本発明に係る間接活線工具保持用アタッチメント１Ａがバランスを崩してバケット１４の開口縁１４ａから外れて落下事故等が起こるリスクを低減することができる。よって、本発明に係る間接活線工具保持用アタッチメント１Ａを使用する際の安全性を大幅に向上できる。
【００３９】
さらに、本発明に係る間接活線工具保持用アタッチメント１Ａにフック６を設ける場合、図５に示すように、フック６の折り返し部６ａを鉛直下方側に向けるようにして枠体２にフック６を取り付けてもよい。
この場合、図６に示すように、先の図５に示すようにフック６を備えた間接活線工具保持用アタッチメント１Ａを、その上下を反転させた状態で高所作業車又は多関節高所作業車のバケット１４の開口縁１４ａに掛着させることになる。
そして、図５に示すように、フック６を構成する部材により枠体２を挟持するようにフック６を取り付けた場合は、図６に示すように、本発明に係る間接活線工具保持用アタッチメント１Ａをバケット１４の開口縁１４ａに取付けた際に、間接活線工具ホルダー４に保持される間接活線工具の荷重が、第２のネジ７のみならずフック６によっても支持されるので、枠体２からフック６が外れるリスクを一層低減できる。よって、本発明に係る間接活線工具保持用アタッチメント１Ａの使用時の安全性を大幅に高めることができる。
【００４０】
また、特にフック６をその折り返し部６ａが鉛直下方側を向くように枠体２に取設する場合は、図５に示すような向きで足場１１に間接活線工具保持用アタッチメント１Ａが装着されるので、バケット１４の開口縁１４ａに掛着させるためのフック６を、図示しない工具袋やその他の工具を掛止しておくためのフックとして利用することができる。
また、図６に示すように、高所作業車又は多関節高所作業車のバケット１４の開口縁１４ａにフック６を備えた間接活線工具保持用アタッチメント１Ａを掛着することで、バケット１４の開口縁１４ａに間接活線工具（例えば、ホットスティック１２や絶縁操作棒１３等）を仮置きしておくことができる。
この場合、バケット１４上での間接活線工具を用いた作業の作業性を大幅に向上できる。さらに、本発明に係る間接活線工具保持用アタッチメント１Ａは、不使用時にはバケット１４から容易に取り外すことができるので、その利便性も高い。
このように本発明に係る間接活線工具保持用アタッチメント１Ａは、フック６を備えることでその汎用性を向上させることができる。
本発明に係る間接活線工具保持用アタッチメント１Ａでは、間接活線工具ホルダー４の形態が筒状であるからこそ、間接活線工具保持用アタッチメント１Ａの上下を反転させても、支障なく間接活線工具ホルダー４に柄のある間接活線工具を仮置きすることができる。
【００４１】
さらに、本発明に係る間接活線工具保持用アタッチメント１Ａは、図１乃至図５に示すように作業者の手を差し入れて枠体２を把持するための長孔９を備えていてもよい。この場合、作業者が足場１１に間接活線工具保持用アタッチメント１Ａの装着又は取り外しを行う際に、枠体２に形成される長孔９に手を差し入れて枠体２を把持することができる。この場合、足場１１への間接活線工具保持用アタッチメント１Ａの装着又は取り外し作業が容易になる。
なお、枠体２における長孔９の穿設位置を特定する必要は特にないが、間接活線工具保持用アタッチメント１Ａの着脱時の操作性を良好にするためには枠体２の端板２ｃに長孔９を穿設しておくとよい。
さらに、同様の目的で枠体２に長孔９を穿設する代わりに、取っ手（図示せず）を設けておいてもよい。この場合も、枠体２に長孔９を設ける場合と同様の効果が期待できる。なお、長孔９に代えて取っ手を設ける場合は、フック６と干渉しない位置に取っ手を設ける必要がある。
【００４２】
最後に図７を参照しながら本発明に係る間接活線工具保持用アタッチメントの変形例について詳細に説明する。
図７は本実施の形態の変形例に係る間接活線工具保持用アタッチメントの概念図である。
本実施の形態の変形例に係る間接活線工具保持用アタッチメント１Ｂは、先に図１乃至図６を参照して説明した間接活線工具保持用アタッチメント１Ａとほぼ同一の形態からなるものであるが、枠体２の形態が異なっている。
より具体的には、本発明に係る間接活線工具保持用アタッチメント１Ｂは、コ字形の枠体２に代えて、図７に示すように、対を成す側板２ａ，２ｂにおいて端板２ｃを備えない側の端部に補強板２ｄを備えた口字形の枠体２を備えてなるものである。
このような変形例に係る間接活線工具保持用アタッチメント１Ｂでは、補強板２ｄが足場１１の上面１１ｃ上に配設されることになるので、足場１１上の往来がやや不便になると考えられるものの、枠体２が補強板２ｄを備えることで、枠体２の剛性が高まり、間接活線工具保持用アタッチメント１Ｂの強度を高めることができる。
また、補強板２ｄとして、例えば、金属製の平板材の両端部近傍をそれぞれ捩じって、補強板２ｄの中央部分の平板部を、足場１１の上面１１ｃの平面方向と平行にしたもの（図示せず）を用い、かつ、このような補強板２ｄの中央部分の平板部と足場１１の上面１１ｃとを密着させて補強板２ｄを枠体２に取設することで、このような間接活線工具保持用アタッチメント１Ｂを足場１１に装着した際に、作業者は補強板２ｄを踏み越えて足場１１上を移動することが可能になる。
この場合、変形例に係る間接活線工具保持用アタッチメント１Ｂの枠体２の強度向上効果と、間接活線工具保持用アタッチメント１Ｂを足場１１に装着した際の作業者の足場１１上の移動容易性を同時に発揮させることができる。
【産業上の利用可能性】
【００４３】
以上説明したように本発明は、電柱に着脱可能に取設される足場に取付けられて、間接活線工具を仮置きすることのできる間接活線工具保持用アタッチメントであり、配電設備やその保守点検に関する技術分野において利用可能である。
【符号の説明】
【００４４】
１Ａ，１Ｂ…間接活線工具保持用アタッチメント  ２…枠体  ２ａ，２ｂ…側板  ２ｃ…端板  ２ｄ…補強板  ３ａ〜３ｃ…水平材  ４…間接活線工具ホルダー  ５…第１のネジ（押上げ構造）  ５ａ…当接板  ５ｂ…操作用つまみ  ６…フック  ６ａ…折り返し部  ７…第２のネジ  ８…固定材  ９…長孔  １０…ネジ挿通孔  １１…足場  １１ａ，１１ｂ…突条  １１ｃ…上面  １１ｄ…下面  １２…ホットスティック（間接活線工具）  １２ａ…膨大部  １３…絶縁操作棒（間接活線工具）  １３ａ…鍔  １４…バケット  １４ａ…開口縁
【図１】
0005893660.tif 000002
【図２】
0005893660.tif 000003
【図３】
0005893660.tif 000004
【図４】
0005893660.tif 000005
【図５】
0005893660.tif 000006
【図６】
0005893660.tif 000007
【図７】
0005893660.tif 000008